(57)【要約】【課題】パチンコ機の設置に当たり、その取付け箇所の寸法とパチンコ機外形寸法との不整合による隙間の発生を防止し、枠サイズが異なるパチンコ機についても取付け箇所寸法に合わせて設置できる不正防止用スペーサを提供する。【解決手段】パチンコ機１の外枠側面部１１ａを覆うように形成された枠体２１と、枠体２１の外枠側面部１１ａから側方への突出寸法を調整するアジャスト機構２２とを備えて構成する。アジャスト機構２２による枠体２１の突出寸法の調整範囲の最大値を、パチンコ機１の設置地域別又は機種別の左右方向の枠サイズ差以上に設定することにより、不正防止用スペーサ２を、枠サイズの相違を吸収するアダプタとしても兼用させる。【選択図】　　　　図１
2004016271.tif 000002
【特許請求の範囲】
【請求項１】
パチンコ機の外枠側面部の両側端面を、一対の対向壁にて挟み込んだ状態で前記外枠側面部を覆う枠体と、
この枠体の長さ方向の少なくとも両端側各１箇所に設けられ、枠体の前記外枠側面部から側方への突出寸法を調整するアジャスト機構とを具備したことを特徴とするパチンコ機の不正防止用スペーサ。
【請求項２】
請求項１に記載のパチンコ機の不正防止用スペーサにおいて、前記アジャスト機構は、摘み部が枠体の一対の対向壁を連結する連結部の表面側に形成された凹陥部内に位置し、この摘み部に連結されたねじ軸部が前記連結部を螺入、貫通してその連結部の裏面側に突出し、その先端にパチンコ機の外枠側面部への当接部材を備えるねじ構造体からなることを特徴とするパチンコ機の不正防止用スペーサ。
【発明の詳細な説明】
【０００１】
【発明の属する技術分野】
本発明は、パチンコ機の外枠周囲、特に側面部に生じる隙間からの不正行為を防止するパチンコ機の不正防止用スペーサに関するものである。
【０００２】
【従来の技術】
パチンコ機は、通常、島と呼ばれる設置場所に複数台左右方向に並べて取り付けられる。この島へのパチンコ機の取付けに当たっては、取付け箇所の寸法とパチンコ機の外形寸法との不整合等から、パチンコ機の外枠周囲に僅かな隙間が生じることがある。
【０００３】
この隙間は、パチンコ機の特に左右側面部に生じやすく、また、側面部の隙間は、ピアノ線や針金をパチンコ機の正面側から裏面側に挿通し、何らかの操作をすることによる不正行為に利用されやすく、そこで、従来、次のような対策がなされていた。
すなわち、パチンコ機とは別体のカバーを作製し、これをパチンコ機側面部の隙間を覆うように取り付けたり、特定の設置場所にパチンコ機を取り付けた場合に生じる隙間を設計段階で予測し、パチンコ機の一部に、その隙間を塞ぐ程度の寸法のリブを突出形成するというものである。
【０００４】
【発明が解決しようとする課題】
しかしながら上記従来技術では、次のような問題点があった。
すなわち、パチンコ機とは別体のカバーを用いる方法では、製造コストが上昇する上に、そのカバーの取付けに手間と時間を要し、取付け作業コストも上昇するという問題点があった。
また、パチンコ機の一部にリブを突出形成する方法では、特定の設置場所（寸法）に合わせてリブを設計しなければならず、設計に手間と時間を要して高コストになり、また、汎用性がないという問題点があった。
【０００５】
本発明は、上記従来技術の問題点を解消するためになされたもので、パチンコ機の設置に当たり、その取付け箇所の寸法とパチンコ機外形寸法との単純な不整合に起因する隙間の発生をなくすことができ、また、設置地域別あるいは設置機種別等による枠サイズの相違を吸収するアダプタとしての機能も有し、したがって、その分だけ不正防止用スペーサとしてのコストの低減が図れ、また、不正防止用スペーサとしても、枠サイズの相違吸収用アダプタとしても、共に汎用性をもつ便利なパチンコ機の不正防止用スペーサを提供することを目的とする。
【０００６】
【課題を解決するための手段】
上記目的を達成するために、請求項１に記載のパチンコ機の不正防止用スペーサは、パチンコ機の外枠側面部の両側端面を、一対の対向壁にて挟み込んだ状態で前記外枠側面部を覆う枠体と、この枠体の長さ方向の少なくとも両端側各１箇所に設けられ、枠体の前記外枠側面部から側方への突出寸法を調整するアジャスト機構とを具備したことを特徴とする。
【０００７】
請求項２に記載の発明は、請求項１に記載の発明において、アジャスト機構は、摘み部が枠体の一対の対向壁を連結する連結部の表面側に形成された凹陥部内に位置し、この摘み部に連結されたねじ軸部が前記連結部を螺入、貫通してその連結部の裏面側に突出し、その先端にパチンコ機の外枠側面部への当接部材を備えるねじ構造体からなることを特徴とする。
【０００８】
【発明の実施の形態】
以下、本発明の実施の形態を図面に基づき説明する。
図１は、本発明によるパチンコ機の不正防止用スペーサの一実施形態をパチンコ機への装着前の状態にて示す斜視図、図２は図１中の要部を上方から示す拡大図である。
【０００９】
各図において、１はパチンコ機、１１はパチンコ機１の外枠、１２は同じく内枠である。内枠１２は、ガラス扉１２ａ、上皿１２ｂ、下皿１２ｃ及び発射ハンドル１２ｄ等を備え、その左側部１２ｅを支点に右側部１２ｆ側が外枠１１に対して開閉自在に取り付けられている。縦長の長方形をなす外枠１１内には、パチンコ機１の要部を構成する遊技盤や機構板（図示せず）等が収容される。
【００１０】
本実施の形態による不正防止用スペーサ２は、このようなパチンコ機１を島（図示せず）へ取付ける場合にパチンコ機１の側面部における隙間発生を防止する部材で、図示するように、枠体２１とアジャスト機構２２とを備えてなる。
【００１１】
この場合、枠体２１は、図３に示すように、パチンコ機外枠１１の内枠開閉側（図１中、右側）の側面部（以下、外枠側面部と略記する。）１１ａの両側端面１１ｂ，１１ｃを、一対の対向壁２１ａ，２１ｂにて挟み込んだ状態で上記外枠側面部１１ａを覆うように形成されている。ここでは、枠体２１は断面がほぼコ字状に形成されており、図３には、そのほぼコ字状の上端面が示されている。この枠体２１は、例えば合成樹脂成形によって作製される。
【００１２】
アジャスト機構２２は、上記枠体２１の長さ方向の少なくとも両端側各１箇所に設けられる（図１参照）。このアジャスト機構２２は、パチンコ機１の外枠側面部１１ａを枠体２１で覆った状態において、パチンコ機１を正面側（図３中、下方側）から見たとき、枠体２１の外枠側面部１１ａから右側方への突出寸法Ｌを調整自在に構成されている。
パチンコ機１を正面側から見たときの枠体面２１ｃは、パチンコ機側面部（外枠側面部１１ａ）の隙間カバーとして機能する。アジャスト機構２２による枠体２１の上記突出寸法Ｌの調整範囲の最大値（隙間カバー寸法）は、少なくともパチンコ機１の設置地域別又は機種別の左右方向の枠サイズ差以上に設定される。
【００１３】
ここで、パチンコ機１の設置地域別の枠サイズとは、関東枠サイズ、関西枠サイズを指すが、以下これについて説明する。
概略的に述べれば、関東枠サイズとは、主に東日本で設置されているパチンコ機１の外形寸法（外枠サイズ）であり、また関西枠サイズとは、主に西日本で設置されているパチンコ機１の外形寸法（外枠サイズ）である。
これらを比較すると、関東枠サイズは関西枠サイズに比べてやや小さい。例えば、関東枠サイズ：縦８０５ｍｍ、横５２５ｍｍに対して、関西枠サイズ：縦８２０ｍｍ、横５２５ｍｍの機種があり、また、関東枠サイズ：縦８１０ｍｍ、横５２０ｍｍに対して、関西枠サイズ：縦８２０ｍｍ、横５３０ｍｍの機種がある。
【００１４】
枠サイズには規格がなく、したがって上記のような枠サイズ差が生じるが、この枠サイズ差も固定値では表わせず、上述例では、横方向の枠サイズ差は０（＝５２５−５２５）〜５（＝５２５−５２０）〜１０（＝５３０−５２０）ｍｍである。
したがって、例えば関西枠サイズのパチンコ機１を取り付けるように設計された取付け箇所に、上述例中のいずれの関東枠サイズのパチンコ機１をも設置可能としたい場合には、枠体２１の突出寸法Ｌの調整範囲の最大値は１０ｍｍ以上に設定される。
パチンコ機１の機種別の枠サイズ差も最大で１０ｍｍ程度であれば、枠体２１の突出寸法Ｌの調整範囲の最大値は１０ｍｍ程度に設定される。
すなわち、アジャスト機構２２を機能させないとき（後述摘み部が図３に示すように最も右側に位置しているとき）に、その枠体２１の上記突出寸法ＬをＬ１とすれば、突出寸法Ｌの調整範囲の最大値は（１０−Ｌ１）ｍｍ程度に設定される。
【００１５】
アジャスト機構２２の具体的な構成例を図２及び図３を参照して説明する。
これらの図から分かるように、アジャスト機構２２は、摘み部２２ａ、ねじ軸部２２ｂ及び当接板２２ｃを備えるねじ構造体からなる。
【００１６】
この場合、摘み部２２ａは、上記枠体２１の一対の対向壁２１ａ，２１ｂを連結する連結部２１ｄの表面側に形成された凹陥部２２ｄ内に位置し、この摘み部２２ａにはねじ軸部２２ｂが固着されている。ねじ軸部２２ｂは、上記連結部２１ｄを螺入、貫通してその連結部２１ｄの裏面側（図中、左側）に突出する。当接板２２ｃは、パチンコ機１の外枠側面部１１ａに当接可能に、上記ねじ軸部２２ｂの先端に取り付けられている。この当接板２２ｃは、例えば硬質合成ゴム等のようなやや硬めの弾性材によって形成される。
【００１７】
このねじ構造体２２においては、摘み部２２ａをねじ軸回りに回転させ、当接板２２ｃをねじ軸方向に進退させることによって、上記枠体２１の突出寸法Ｌが調整可能である。
なお、ねじ構造体２２は、アジャスト機構として機能させないとき、つまり、摘み部２２ａが、図３に示すように最も右側に位置しているとき、その摘み部２２ａが枠体２１の連結部２１ｄの表面位置から図中右側に突出しないような寸法に各部が設定される。
【００１８】
図４は、突出寸法Ｌを最大限に調整した枠体２１が外枠側面部１１ａを覆った、つまり、外枠側面部１１ａに装着された状態を示す。
また図５は、複数台のパチンコ機１が、各々その外枠側面部１１ａ（図１参照）に上述本発明スペーサ２が装着された状態で、適宜の島に左右方向に並べて取り付けらた様子を示す。この場合、本実施の形態のスペーサ２は、枠体突出寸法Ｌが調整されて本来の不正防止用スペーサとして機能すると共に、設置地域別や設置機種別の外枠サイズの相違を吸収するアダプタとしても機能している。この図５において、スペーサ２とその右隣のパチンコ機１との間に玉貸し機等を介在させてよいことは勿論である。
なお、上掲各図において、同一符号は同一又は相当部分を示す。
【００１９】
【発明の効果】
請求項１に記載の発明は、パチンコ機の外枠側面部の両側端面を、一対の対向壁にて挟み込んだ状態で前記外枠側面部を覆う枠体と、この枠体の長さ方向の少なくとも両端側各１箇所に設けられ、枠体の前記外枠側面部から側方への突出寸法を調整するアジャスト機構とを具備してパチンコ機の不正防止用スペーサを構成した。
これによれば、パチンコ機取付け箇所の寸法とパチンコ機外形寸法との単純な不整合による隙間の発生をなくすことができ、また、設置地域や設置機種の違い等よる枠サイズの違いを吸収するアダプタとしても機能し、異なる枠サイズのパチンコ機についてもその取付け箇所に整合させて設置させ得る利点がある。その結果、不正防止用スペーサとしてのコストの低減も図れる。また、アジャスト機構によって、不正防止用スペーサとしても、枠サイズの相違吸収用アダプタとしても、共に汎用性をもつという利点もある。
【００２０】
請求項２に記載の発明によれば、請求項１におけるアジャスト機構が簡易かつ低コストに実現できる。
【図面の簡単な説明】
【図１】本発明の不正防止用スペーサの一実施形態をパチンコ機への装着前の状態にて示す斜視図である。
【図２】図１中の要部を上方から示す拡大図である。
【図３】図２中の本発明スペーサが同図中のパチンコ機に装着された状態を示す図である。
【図４】同上スペーサが突出寸法を最大限に調整した状態でパチンコ機に装着された状態を示す図である。
【図５】本発明スペーサが各々装着された複数台のパチンコ機が左右方向に並設された様子を示す正面図である。
【符号の説明】
１　パチンコ機
１１　外枠
１１ａ　外枠側面部
１１ｂ，１１ｃ　両側端面
２　不正防止用スペーサ
２１　枠体
２１ａ，２１ｂ　対向壁
２２　アジャスト機構
Ｌ　突出寸法
【図１】
2004016271.tif 000003
【図２】
2004016271.tif 000004
【図３】
2004016271.tif 000005
【図４】
2004016271.tif 000006
【図５】
2004016271.tif 000007